(57)【要約】      （修正有）【課題】ＬＥＤライトバー間の接続方式とライトバー数量を柔軟に選択することができ、かつ取り付けが簡便で、安定性と安全性が大いに高められるバー状ＬＥＤライトを提供する。【解決手段】複数のＬＥＤライトバーを含み、ＬＥＤライトバーは台座１、定電流電源、ライト本体とライト本体の上に被覆されるシェード６を含む。ライト本体は台座の上に設けられるＰＣＢ板２、ＬＥＤのライトビーズ２１と定電流線路２２を含む。ＬＥＤライトバーの両端にそれぞれ定電流線路に接続される第一端子３と第二端子４が設けられ、第一端子と第二端子がすべてがＰＣＢ板に着脱式に接続される。複数のＬＥＤライトバー間は第一端子と第二端子によって直列接続される。【選択図】図１
0003194410.tif 000002
【実用新案登録請求の範囲】
【請求項１】
バー状ＬＥＤライトであって、複数のＬＥＤライトバーを含み、前記ＬＥＤライトバーは台座、定電流電源、ライト本体と該ライト本体の上に被覆されるシェードを含み、前記ライト本体は前記台座の上に設けられるＰＣＢ板、ＬＥＤのライトビーズと定電流線路を含み、前記ＬＥＤライトビーズが前記台座の上の前記ＰＣＢ板の表面に設けられ、前記定電流線路が前記ＰＣＢ板の裏面に配置され、
前記ＬＥＤライトバーの両端にはそれぞれ前記定電流線路に接続される第一端子と第二端子が設けられ、
前記第一端子は第一縦方向ブラケットと横方向的に前記ブラケットを貫通するソケット本体を含み、前記ソケット本体における電極穴が設けられる片端が前記ブラケットと同一面になり、ソケット本体の他端が前記ＰＣＢ板に着脱式に接続され、
前記第二端子は第二縦方向ブラケットと横方向的に前記ブラケットを貫通するソケット本体を含み、前記ソケット本体の片端が前記ＰＣＢ板他端に着脱式に接続されソケット本体の他端に前記第二縦方向ブラケットから伸ばされ、かつ前記電極に合わせるプラグが設けられ、
前記ＬＥＤライトバーとＬＥＤライトバーとの間が第一端子と第二端子によって接続されることを特徴とするバー状ＬＥＤライト。
【請求項２】
さらに前記第一縦方向ブラケットに設けられる貫通穴を含み、前記貫通穴が前記電極穴の下側に位置され、
前記第二縦方向ブラケットの上に前記貫通穴に合わせる締め付け接続構造が設けられ、前記締め付け接続構造が前記第二縦方向ブラケット外部まで伸ばされ、前記プラグの下側に位置されることを特徴とする請求項１記載のバー状ＬＥＤライト。
【請求項３】
前記締め付け接続構造が前記第二縦方向ブラケットから伸ばされる凸面ブロック塊とし、前記凸面ブロック塊の上に締め付け部品が設けられることを特徴とする請求項２記載のバー上ＬＥＤライト。
【請求項４】
前記凸面ブロック塊がシリカゲルまたはゴムまたは弾力性プラスチックであることを特徴とする請求項３記載のバー状ＬＥＤライト。
【請求項５】
前記ソケット本体の前記電極穴がスロットおよびそれに設けられる電極シートを含むことを特徴とする請求項１記載のバー状ＬＥＤライト。
【請求項６】
前記スロットを少なくとも２個とし、隣接しているスロットの間に絶縁構造が設けられ、前記絶縁構造が前記電極穴最上部と底部に相対的に設けられる凸面帯であることを特徴とする請求項５記載のバー状ＬＥＤライト。
【請求項７】
前記ブラグの個数を前記スロットに合わせ、かつブラグ輪郭が前記スロット輪郭に吻合されることを特徴とする請求項６記載のバー状ＬＥＤライト。
【請求項８】
前記第一縦方向ブラケットと前記第二縦方向ブラケットの輪郭が前記台座席及びシェードで構成される腔体側部輪郭に合わさることを特徴とする請求項１記載のバー状ＬＥＤライト。
【請求項９】
さらに接続端子線を含み、前記接続端子線の両端に前記第一端子と前記第二端子が設けられ、前記ＬＥＤライトバーとＬＥＤライトバーとの間に前記接続端子線の前記第一端子と前記第二端子によって直列接続されることを特徴とする請求項１から８のいずれか１項に記載のバー状ＬＥＤライト。
【請求項１０】
前記定電流電源にプラグ本体給電接合部が設けられ、前記給電接合部がＬＥＤライトの前記第一端子に接続され、前記バー状ＬＥＤライトの他端に封止先が設けられることを特徴とする請求項１記載のバー状ＬＥＤライト。
【考案の詳細な説明】
【技術分野】
【０００１】
本考案はＬＥＤライト分野に属して、具体的にはバー状ＬＥＤライトに関する。
【背景技術】
【０００２】
ＬＥＤライトは緑色、省エネルギーの固態光源として広く応用され、現在、モール、会議室、バー及びその他の場合にＬＥＤライトバーによって照明し、ただその長さの固定性による所定位置へのＬＥＤライトバーの設置難易度が増し、その応用範囲が比較的に大きく制限される。角にライトバーを取り付ける場合、ライトバーを折り、導線によって折られたライトバーを繋げる必要があるため、設置の煩雑性と原価を増大し、照明効果や美学に影響を与える。非専門のインストーラ設置担当者にとって、接続作業を完了することが困難であり、かつ接続部の導線がライト本体と完全に一致するように作製することができない。
【考案の概要】
【考案が解決しようとする課題】
【０００３】
従来技術の中にモザイクスタイルのライトバーが提出され、それはライトバーの両側に溶接される雄側と雌側によって隣接しているライトバーを繋げて、異なる長さのＬＥＤライトバーを形成する。しかし、雄側と雌側がすべてライトバー両側に溶接されるため、ライトバー本体または雄側と雌側に障害が発生する場合、ライトバー全体を使用することができなく、不必要な損失を引き起こす。かつライトバーとライトバーとの間の接続部が緩みやすく、不確実な接続による短絡が発生するため、ライトバー全体を正常に使用することができない。
【課題を解決するための手段】
【０００４】
本考案は上記の不足の解決を目的とし、バー状ＬＥＤライトを設計し、それは直列接続される複数のＬＥＤライトバーで構成され、該バー状ＬＥＤライトが設置の環境の異なりにより、ＬＥＤライトバーとＬＥＤライトバーとの間の接続方式とライトバー数量を柔軟に選択することができ、かつ取り付けが簡便であり、安定性と安全性が大いに高められる。
【０００５】
本考案の目的を実現するために採られる技術的解決手段は以下のとおりである：  バー状ＬＥＤライトであって、複数のＬＥＤライトバーを含み、前記ＬＥＤライトバーは台座、定電流電源、ライト本体と該ライト本体の上に被覆されるシェードを含み、前記ライト本体は前記台座の上に設けられるＰＣＢ板、ＬＥＤのライトビーズと定電流線路を含み、前記ＬＥＤライトビーズが前記台座の上の前記ＰＣＢ板の表面に設けられ、前記定電流線路が前記ＰＣＢ板の裏面に配置され、
前記ＬＥＤライトバーの両端にはそれぞれ前記定電流線路に接続される第一端子と第二端子が設けられ、
前記第一端子は第一縦方向ブラケットと横方向的に前記ブラケットを貫通するソケット本体を含み、ソケット本体における電極穴が設けられる片端が前記ブラケットと同一面になり、ソケット本体の他端が前記ＰＣＢ板に着脱式に接続され、
前記第二端子は第二縦方向ブラケットと横方向的に前記ブラケットを貫通するソケット本体を含み、前記ソケット本体の片端が前記ＰＣＢ板他端に着脱式に接続されソケット本体の他端に第二縦方向ブラケットから伸ばされ、かつ前記電極に合わせるプラグが設けられ、
前記ＬＥＤライトバーとＬＥＤライトバーとの間が前記第一端子と前記第二端子によって接続される。
【０００６】
好ましい場合、さらに第一縦方向ブラケットに設けられる貫通穴を含み、前記貫通穴が前記電極穴の下側に位置される。
前記第二縦方向ブラケットの上に前記貫通穴に合わせる締め付け接続構造が設けられ、前記締め付け接続構造が前記第二縦方向ブラケット外部まで伸ばされ、前記プラグの下側に位置される。
【０００７】
好ましい場合、前記締め付け接続構造が前記第二縦方向ブラケットから伸ばされる凸面ブロック塊とし、前記凸面ブロック塊の上に締め付け部品が設けられる。ライトバーとライトバーとの間の接合部を緩みやすくないようにし、漏電を防止する。
【０００８】
好ましい場合、前記凸面ブロック塊をシリカゲルまたはゴムまたは弾力性プラスチックとする。ライトバーとライトバーとの間の接続をより柔軟に緊密する。
【０００９】
好ましい場合、前記ソケット本体の電極穴がスロットおよびそれに設けられる電極シートを含む。
【００１０】
好ましい場合、前記スロットを少なくとも２個とし、隣接しているスロットの間に絶縁構造が設けられ、前記絶縁構造が前記電極穴最上部と底部に相対的に設けられる凸面帯とする。
【００１１】
好ましい場合、前記ブラグの個数を前記スロットに合わせ、かつブラグ輪郭が前記スロット輪郭に吻合される。
【００１２】
好ましい場合、前記第一縦方向ブラケットと前記第二縦方向ブラケットの輪郭が前記台座席及びシェードで構成される腔体側部輪郭に合わさる。
ＬＥＤライトバー全体を密封構造に置き、ＬＥＤライト本体が保護される役割を果たすほか、粉塵及びその他がライト本体に進入することによる照明効果に影響を与えることを防止することができる。
【００１３】
好ましい場合、さらに接続端子線を含み、前記接続端子線の両端に前記第一端子と前記第二端子が設けられ、前記ＬＥＤライトバーとＬＥＤライトバーとの間が前記接続端子線の前記第一端子と前記第二端子によって直列接続される。
【００１４】
好ましい場合、前記定電流電源にプラグ本体給電接合部が設けられ、前記給電接合部がＬＥＤライトの第一端子に接続され、前記バー状ＬＥＤライトの他端に封止先が設けられる。
【００１５】
好ましい場合、前記複数のＬＥＤライトビーズを備え、かつ前記ＰＣＢに貼りつけるか溶接するかして差し込む。
好ましい場合、前記プラグの縦方向長さと前記スロットの縦方向長さが同じである。
好ましい場合、前記台座最上部にフランジングが沿うように設けられ、シェード開口部に前記フランジングと相互に締め付けられる締め付け装置が設けられる。
好ましい場合、台座の内壁の両側に凸台が設けられ、前記ＰＣＢの板が前記凸台面に設けられる。
前記凸台面によるＰＣＢ板の底部と前記台座底部の間が一定の空間に維持され、定電流線路の柔軟放置に便利である。
好ましい場合、前記シェードをＰＶＣのものとし、かつシェードの横断面形状が円弧形または弧形またはＵ形とする。
【００１６】
好ましい場合、前記定電流電源が２５０Ｗ、３６Ｖの低圧直流電源を提供する。
そのうち、該低圧直流電源が９本前記ＬＥＤライトバーで直列的に構成されるバー状ＬＥＤライトを駆動することができ、そのうちのＬＥＤライトバーの長さが１．２メートルとする。
または前記ＬＥＤライトが１２本前記ＬＥＤライトバーで直列的に構成され、そのうちのＬＥＤライトバーの長さが１．２メートルとする。
または前記ＬＥＤライトが１８本前記ＬＥＤライトバーで直列的に構成され、そのうちのＬＥＤライトバーの長さが０．６メートルとする。
または前記ＬＥＤライトが３６本前記ＬＥＤライトバーで直列的に構成され、そのうちのＬＥＤライトバーの長さが０．３メートルとする。
【考案の効果】
【００１７】
１、本考案のバー状ＬＥＤライトは設置の環境の異なりにより、ＬＥＤライトバーとＬＥＤライトバーとの間の接続方式とライトバー数量を柔軟に選択することができる。ライトバーとライトバーとの間の距離が比較的に近い場合、ライトバーの両端に設けられる第一端子と第二端子によって複数のライトバーを繋げる；ライトバーとライトバーとの間の距離が比較的に遠くまたは曲がり角にＬＥＤライトが設けられる場合、端子線に接続される第一端子と第二端子によって複数のライトバーを繋げ、伝統的ＬＥＤライト応用の局限性を克服し、その応用の広範性を高める；かつ第一端子と第二端子との間の設置が便利であり、非専門設置担当者も快速に設置することができる。
【００１８】
２、本考案の中にＬＥＤライトバー両端に対応的に設けられる第一端子と第二端子がすべて所在端のＰＣＢの板に着脱式に接続され、端子がライトバーと分離するように単独で分解し、よって端子が任意に所要のライトバーに設置されることができ、そのうちのある端子またはライトバー本体に故障が現われる場合、単独にそのうちの端子または本体を取り替えるだけでよく、資源の浪費を減らす。
【００１９】
３、本考案の中の第一端子と第二端子のブラケットの輪郭が前記台座席及びシェードで構成される腔体側部輪郭に合わせ、よって第一端子と第二端子がＬＥＤライトバーとの間の密封構造がより良くなり、ＬＥＤライト本体が保護される役割を果たすほか、粉塵及びその他がライト本体に進入することによる照明効果に影響を与えることを防止することができる。
【００２０】
隣接しているライトバーが第一端子と第二端子によって直列的に接続されると同時に、第一端子と第二端子の上の相互締め付け接続構造による接続点の密着性が高められ、従ってＬＥＤライトバーとＬＥＤライトバーとの間が簡単に緩まないようにし、ブラグ接続点の漏電の発生を避け、バー状ＬＥＤライト全体の堅実性を高める。
【図面の簡単な説明】
【００２１】
【図１】本考案中のＬＥＤのライトバーの構造概略図である。
【図２】本考案中の第一端子と第二端子の側部拡大図である。
【図３】本考案中の第１実施方式概略図である。
【図４】本考案中の第２実施方式概略図である。
【考案を実施するための形態】
【００２２】
以下に本考案の具体的実施方式を結びつけてさらに説明する。
【００２３】
図面１〜３に示されるように：  バー状ＬＥＤライトであって、複数のＬＥＤライトバーを含み、前記ＬＥＤライトバーは台座１、定電流電源、ライト本体とライト本体の上に被覆されるシェード６を含む。前記ライト本体は台座１の上に設けられるＰＣＢ板２、定電流線路２２、ＰＣＢ板２に均一に貼りつけるか溶接するかして差し込まれるＬＥＤライトビーズを含む。前記定電流線路２２はＰＣＢ板２の裏面に配置される。前記台座１最上部にフランジングが沿うように設けられ、前記シェード６はＰＶＣのものとし、かつシェード６の横断面形状を円弧形とし、シェード６開口部に前記フランジングと相互に締め付けられる締め付け装置が設けられ、台座１とシェード６が密着に接続され、ＬＥＤライト本体をその形成される腔体に包囲する。台座１の内壁の両側に凸台が設けられ、前記ＰＣＢ板２が前記凸台面に設けられる。
【００２４】
前記ＬＥＤライトバーの両端にそれぞれ前記定電流線路２２に接続される第一端子３と第二端子４が設けられる。前記第一端子３は第一縦方向ブラケットと横方向的に前記ブラケットを貫通するソケット本体を含み、ソケット本体における電極穴が設けられる片端が前記ブラケットと同一面になり、ソケット本体の他端が前記ＰＣＢ板２に着脱式に接続される。前記ソケット本体の電極穴が３個のスロットおよびそれに設けられる電極シートを含み、隣接しているスロットの間に絶縁構造が設けられ、前記絶縁構造を電極穴最上部と底部に相対的に設けられる凸面帯とする。前記第一縦方向ブラケットに正方形貫通穴がまた設けられ、前記貫通穴が前記電極穴の下側に位置される。前記第二端子４は第二縦方向ブラケットと横方向的に前記ブラケットを貫通するソケット本体を含み、前記ソケット本体の片端が前記ＰＣＢ板２他端に着脱式に接続され、前記プラグを三相並列プラグとし、前記プラグの下側に第二縦方向ブラケット外部まで伸ばされるシリコーン凸面ブロックまたはゴムブロックまたは弾性凸面ブロックが設けられ、前記凸面ブロックの上に締め付け部品が設けられる。凸面ブロック塊と前記貫通穴がお互いに締め付けられ、ライトバーとライトバーとの間が第一端子３と第二端子４との接続によって柔軟に緊密される。第一縦方向ブラケットと第二縦方向ブラケットの輪郭は前記台座席及びシェード６で囲まれる腔体側部輪郭に合わせ、ＬＥＤライトバー全体を密封形態に置かせ、よりＬＥＤライト本体を保護し、粉塵を防止する。
【００２５】
前記定電流電源が前記ブラグの給電接合部５を含み、給電接合部５のブラグ端が１個のＬＥＤライトバーの第一端子３に接続され、定電流路線２２を導通させ、ＬＥＤライトビーズ２１のために給電する。
【００２６】
定電流電源が２５０Ｗ、３６Ｖの低圧直流を提供し、該電源は複数の互い直列されるライトバーを駆動することができる：
前記ＬＥＤライトバーの長さを１．２メートルとする場合、該電源は駆動する９本の互いに直列されるライトバーを駆動することができる。
前記ＬＥＤライトバーの長さを０．９メートルとする場合、該電源は駆動する１２本の互いに直列されるライトバーを駆動することができる。
前記ＬＥＤライトバーの長さを０．６メートルとする場合、該電源は駆動する１８本の互いに直列されるライトバーを駆動することができる。
前記ＬＥＤライトバーの長さを０．３メートルとする場合、該電源は駆動する３６本の互いに直列されるライトバーを駆動することができる。
【００２７】
前記ＬＥＤライトバーとＬＥＤライトバーとの間は第一端子３と第二端子４によって直列接続される。直列接続される各ライトバーの電流が一致し、よってＬＥＤライト輝度が圧力降下とともに変化されなく、ＬＥＤ光束密度の均一性を高める。
【実施例１】
【００２８】
２個または２個以上のＬＥＤのライトバーを接続して使用する必要がある場合、２個のライトバーの距離が近い場合、直接にライトバー両端に設けられる第一端子３と第二端子４によって複数のＬＥＤのライトバーを繋げることができる。即ち給電接合部５のブラグと第一ＬＥＤライトバーの第一端子３が接続され、第一ＬＥＤライトバーの第二端子４が隣接している第二ＬＥＤライトバー端子に相互に差し込んで接続され、第二ＬＥＤライトバーの第二端子４がＬＥＤライトバーの第一端子３に相互に差し込んで接続され、この類によって押して、バー状のＬＥＤライトの端末に封止先が設けられる。定電流電源が給電接合部５によってＬＥＤライトのために給電し、ＬＥＤのライトバー上の定電流線路２２に導通され、複数のライトバーの電流が一致し、同時に照明状態に入る。前記凸面ブロック塊が貫通穴に互いに締め付けられ、ＬＥＤのライトバーの先端と隣接されるＬＥＤのライトバーの末端を確実に堅固に固定し、接続部の緩みと漏電現象の発生を避ける。
【実施例２】
【００２９】
本実施例は実施例１と比較し、次の区別がある：  さらに接続端子線７を含み、前記接続端子線の両端に前記第一端子３と第二端子４が設けられ、ライトバーとライトバーとの間の距離が比較的に遠くまたは曲がり角にＬＥＤライトが設けられる場合、前記端子線７によって複数のライトバーを相互に直列接続させ、即ちＬＥＤライトバーの第一端子３が前記接続線の第二端子４に相互に差し込んで接続され、隣接しているＬＥＤライトバーが前記接続線の第一端子３に相互に差し込んで接続される。よって異なる設置位置にかかわらず、すべてライトバーとライトバーとの間の柔軟接続を実現され、その応用範囲が増大される。
そのほかの技術的特徴は実施例１と同様で、かつ同様の技術的効果に達することができ、ここに省略する。
【００３０】
上述明細書の開示と指導により、本考案の所属分野の技術者はさらに上述実施方式に対して変更と改正をすることができる。そのため、本考案は上記開示と記述される具体的実施方式に局限しなく、本考案に対する改正及び変更も同じく本考案の権利要求の保護範囲内に収納されるものとする。またこの明細書の中にある特定の技術用語を使用するが、ただこれらの技術用語が便宜に説明するために使用されるもので、本考案に任意制限を与えない。
【符号の説明】
【００３１】
１  台座
２  ＰＣＢ板
３  第一端子
４  第二端子
５  給電接合部
６  シェード
７  接続端子線
２１  ＬＥＤ灯玉
２２  定電流線路
【図１】
0003194410.tif 000003
【図２】
0003194410.tif 000004
【図３】
0003194410.tif 000005
【図４】
0003194410.tif 000006